(57)【特許請求の範囲】
【請求項１】
外壁の内外に内部スラブと外部スラブを有し、内部スラブと外部スラブとの間に断熱材を介装せしめることでそれらを熱的に絶縁してなるコンクリート造の建物において、
外周梁の外側に外部スラブを一体に設けるとともに、外周梁の内側に断熱材を介して内部スラブを設けてなることを特徴とする断熱構造の建物。
【請求項２】
外壁の内外に内部スラブと外部スラブを有し、内部スラブと外部スラブとの間に断熱材を介装せしめることでそれらを熱的に絶縁してなるコンクリート造の建物において、
コンクリート系の成形板からなる型枠本体の内面側にトラス筋を突出させかつ型枠本体の内面に断熱材を取り付けてなる打込型枠を外型枠として外周梁を形成し、
該外周梁の内側に内部スラブを一体に設けるとともに、該外周梁の外側に前記打込型枠を介して外部スラブを設けてなることを特徴とする断熱構造の建物。
【請求項３】
外壁の内外に内部スラブと外部スラブを有し、内部スラブと外部スラブとの間に断熱材を介装せしめることでそれらを熱的に絶縁してなるコンクリート造の建物において、
コンクリート系の成形板からなる型枠本体の内面側にトラス筋を突出させかつ型枠本体の内面に断熱材を取り付けてなる打込型枠を施工するべき外周梁の内側に取り付けて外周梁を形成し、
該外周梁の外側に外部スラブを一体に設けるとともに、該外周梁の内側に前記打込型枠を介して内部スラブを設けてなることを特徴とする断熱構造の建物。
【発明の詳細な説明】
【０００１】
【発明の属する技術分野】
本発明は、断熱性能に優れたコンクリート造の建物に関する。
【０００２】
【従来の技術】
ＲＣ造ないしＳＲＣ造の建物の断熱性能を向上させるために外壁に断熱材を取り付ける場合、従来一般には躯体の内側に断熱材を取り付けるいわゆる内断熱構造とすることが通常であったが、内断熱構造では断熱材と躯体との間において内部結露が生じることがあるので、断熱材の剥離、ダニやカビの発生等が問題となる場合がある。そのため、最近においては図５に示すように外壁ａや梁ｂの外側に断熱材ｃを取り付ける外断熱構造が着目されており、そのような構造の建物が広く普及する気運にある。
【０００３】
【発明が解決しようとする課題】
ところで、図５に示しているように、外壁ａの外側にバルコニーや外廊下として使用される外部スラブｄが突出する状態で設けられる場合、その取り合い部での断熱を考慮しないと熱橋（ヒートブリッジ）が生じて熱ロスや結露が生じることが懸念されるので、従来においてはそのような熱橋を防止するために室内側にも断熱材ｅを取り付けることが一般的である。
【０００４】
しかし、上記のように一部であるとはいえ室内側にも断熱材ｅを取り付けることは外断熱の主旨にもとるものであるし、室内に断熱材ｅを取り付けるがために内装仕上げが制約を受けたりその施工が複雑化する等の問題もあり、そのような問題を解決し得る有効な手段の開発が望まれていた。
【０００５】
【課題を解決するための手段】
上記事情に鑑み、請求項１の発明は、外壁の内外に内部スラブと外部スラブを有し、内部スラブと外部スラブとの間に断熱材を介装せしめることでそれらを熱的に絶縁してなるコンクリート造の建物において、外周梁の外側に外部スラブを一体に設けるとともに、外周梁の内側に断熱材を介して内部スラブを設けてなることを特徴とする。
【０００６】
請求項２の発明は、外壁の内外に内部スラブと外部スラブを有し、内部スラブと外部スラブとの間に断熱材を介装せしめることでそれらを熱的に絶縁してなるコンクリート造の建物において、コンクリート系の成形板からなる型枠本体の内面側にトラス筋を突出させかつ型枠本体の内面に断熱材を取り付けてなる打込型枠を外型枠として外周梁を形成し、該外周梁の内側に内部スラブを一体に設けるとともに、該外周梁の外側に前記打込型枠を介して外部スラブを設けてなることを特徴とする。
【０００７】
請求項３の発明は、同じく外壁の内外に内部スラブと外部スラブを有し、内部スラブと外部スラブとの間に断熱材を介装せしめることでそれらを熱的に絶縁してなるコンクリート造の建物において、コンクリート系の成形板からなる型枠本体の内面側にトラス筋を突出させかつ型枠本体の内面に断熱材を取り付けてなる打込型枠を施工するべき外周梁の内側に取り付けて外周梁を形成し、該外周梁の外側に外部スラブを一体に設けるとともに、該外周梁の内側に前記打込型枠を介して内部スラブを設けてなることを特徴とする。
【０００８】
【発明の実施の形態】
図１〜図２は本発明を集合住宅建物に適用した場合の第１実施形態を示す図であり、図１（ａ）は住戸の平面図、（ｂ）は断面図、（ｃ）は（ｂ）におけるｃ部の拡大図である。図２は本第１実施形態において用いる打込型枠１を示すものである。
【０００９】
打込型枠１は、コンクリート系の成形板からなる型枠本体２の内面側に、トラス筋３を突出する状態で設け、かつ型枠本体２の内面に断熱材４を取り付けてなるものである。型枠本体２としては厚さ１００ｍｍ程度のプレキャストコンクリート版（ＰＣａ版）あるいは気泡コンクリート版（ＡＬＣ版）が採用され、これがそのまま外装材となるのでその外面には予め所望の外装仕上げを施しておくことができ、たとえば外装仕上げがタイル貼りの場合には型枠本体２の外面に予めタイルを貼り付けておけば良い。トラス筋３は、防錆処理を施した鉄筋、あるいはステンレスや樹脂等の線材を溶接あるいは緊結してトラス状に形成してなるもので、高さ寸法の半分程度が型枠本体２に埋設され、他を型枠本体２の内面側に突出させた状態で型枠本体２に一体に組み付けられたものである。断熱材４としてはたとえば硬質ウレタンフォーム等の発泡系断熱材を用い、それを所定厚さ（一般的には２０〜３０ｍｍ程度、寒冷地仕様としては５０ｍｍ程度ないしそれ以上）となるように型枠本体２の内面に吹き付けて形成することが好適であり、必要に応じて断熱材４の表面にたとえばアスファルトエマルジョン系の防湿材を塗布する等して防湿層を形成することが好ましい。
【００１０】
本第１実施形態では、図１に示すように上記の打込型枠１を外壁５および外周梁６、外周柱７の外型枠として採用することで、それをトラス筋３を介して躯体に一体化せしめてそのまま外装材とするものであり、したがって断熱性能に優れかつ内部結露が生じることもない外断熱構造の躯体を極めて効率的に施工することができるものである。
【００１１】
そして、本第１実施形態では、図１（ｃ）に示すように、上記の打込型枠１を用いて形成される外周梁６の内側に内部スラブ８が一体に設けられ、その外周梁６の外側に打込型枠１を介して外部スラブ９が設けられ、したがって打込型枠１の断熱材４（図１（ａ），（ｂ）においては破線で示している）によって、内部スラブ８が一体に形成されている外周梁６と外部スラブ９とが熱的に絶縁されてそこで熱橋（ヒートブリッジ）が生じることが自ずと防止されるようになっている。したがって、図５に示した従来の外断熱構造のように室内側に断熱材ｅを取り付けるような必要がなく、内装仕上げが制約されたりその施工が面倒になることもない。
【００１２】
図３は第２実施形態を示す。これは第１実施形態におけ打込型枠１を外壁５、外周梁６、外周柱７の内側（ただし、妻側の外壁５のみその外側）に取り付けることとして、図３（ｃ）に示すように外周梁６の外側に外部スラブ９を一体に設けるとともに、外周梁６の内側に打込型枠１を介して内部スラブ８を設け、その打込型枠１の断熱材４によって、外部スラブ９が一体に形成されている外周梁６と内部スラブ８とを熱的に絶縁してそこでの熱橋を防止するようにしたものであり、第１実施形態と同様の効果が得られる。
【００１３】
図４は参考例を示す。これは第１実施形態を基本とするものであるが、（ｃ）に示すように外部スラブ９と内部スラブ８とが外周梁６を介することなく直接的に連続している部位においては、それら外部スラブ９と内部スラブ８との間に断熱材１０（（ａ），（ｂ）においては破線で示している）を介装したもので、その断熱材１０により外部スラブ９と内部スラブ８とが熱的に絶縁されてそれらの間で熱橋が生じることが防止され、第１実施形態や第２実施形態と同様の効果が得られる。
【００１４】
なお、本発明は上記各実施形態に限定されるものでは勿論なく、要は外部スラブと内部スラブとの間における熱橋を防止するべくそれらの間に断熱材を介装して熱的に絶縁すれば良いのであり、その限りにおいて適宜の設計的変更が可能であって、建物の用途や形態は任意であるし、上記各実施形態において採用した打込型枠を採用することに限るものでもない。
【００１５】
【発明の効果】
請求項１の発明は、外壁の内外に内部スラブと外部スラブを有する形態のコンクリート造の建物において、それら内部スラブと外部スラブとの間に断熱材を介装せしめることでそれらを熱的に絶縁するものであり、特に外周梁の外側に外部スラブを一体に設けるとともに、外周梁の内側に断熱材を介して内部スラブを設けるので、熱橋が自ずと防止されて優れた断熱性能を確保でき、特に外断熱構造の建物に適用して最適である。
【００１６】
請求項２の発明は、内面側に断熱材を取り付けた打込型枠を外型枠として外周梁を形成することにより、外周梁の内側に内部スラブを一体に設けるとともに、外周梁の外側に断熱材を介して外部スラブを設けるので、外周梁と外部スラブとが断熱材により熱的に絶縁されてそこでの熱橋を有効に防止でき、したがって優れた断熱性能を確保できて、特に外断熱構造の建物に適用して最適である。
【００１７】
請求項３の発明は、内面側に断熱材を取り付けた打込型枠を施工するべき外周梁の内側に取り付けて外周梁を形成することにより、外周梁の外側に外部スラブを一体に設けるとともに、外周梁の内側に断熱材を介して内部スラブを一体に設けるので、外周梁と内部スラブとが断熱材により熱的に絶縁されてそこでの熱橋を有効に防止でき、上記と同様に優れた断熱性能を確保できて、特に外断熱構造の建物に適用して最適である。
【図面の簡単な説明】
【図１】  本発明の第１実施形態である断熱構造の建物を示す図である。
【図２】  同、打込型枠の概略構成を示す図である。
【図３】  本発明の第２実施形態である断熱構造の建物を示す図である。
【図４】  参考例である断熱構造の建物を示す図である。
【図５】  従来の外断熱構造の建物を示す図である。
【符号の説明】
１  打込型枠
２  型枠本体
３  トラス筋
４  断熱材
５  外壁
６  外周梁
８  内部スラブ
９  外部スラブ
１０  断熱材
【図１】
0003740604.tif 000002
【図２】
0003740604.tif 000003
【図３】
0003740604.tif 000004
【図４】
0003740604.tif 000005
【図５】
0003740604.tif 000006